(57)【要約】【課題】レンズ面の有効径における接線と光軸とのなす角度が２１．６°以下のレンズである場合に、レンズ面の開口縁を含む平坦面に設計とおりに絞り部を形成することができるレンズを提供する。【解決手段】レンズ面２００ａと、光軸に対して直交するとともに、レンズ面の開口縁２００ｂを含む平坦面２０１とを備え、レンズ面２００ａの接線と光軸とのなす角度の最小接線角度が２１．６°以下となっており、平坦面２０１に平板環状の絞り部材１２が配置され、この絞り部材１２の内周縁１２ａが、レンズ面２００ａの開口縁２００ｂ上あるいは当該開口縁２００ｂより径方向内側に位置しているので、この絞り部材１２によって設計とおりに絞り部を形成することができる。【選択図】図４
2018091907.tif 000002
【特許請求の範囲】
【請求項１】
凹状の球面または非球面となっているレンズ面と、光軸に対して直交するとともに、前記レンズ面の開口縁を含む平坦面とを備えたレンズであって、
前記レンズ面の接線と前記光軸とのなす角度の最小接線角度が２１．６°以下となっており、
前記平坦面に平板環状の絞り部材が配置され、
この絞り部材の内周縁が、前記レンズ面の前記開口縁上あるいは当該開口縁より径方向内側に位置していることを特徴とするレンズ。
【請求項２】
前記有効径と前記開口縁との間の径方向における距離が８０μｍ以下であることを特徴とする請求項１に記載のレンズ。
【請求項３】
複数のレンズが当該レンズの光軸に沿って並べられたレンズ群と、このレンズ群が収納される鏡筒とを備えるレンズユニットであって、
前記鏡筒の物体側の開口部に請求項１または２に記載のレンズが第１レンズとして設けられ、
前記絞り部材は、前記第１レンズと、この第１レンズに光軸方向において隣り合う第２レンズとによって挟持されていることを特徴とするレンズユニット。
【請求項４】
前記絞り部材の外周縁が前記鏡筒の内周面に当接されていることを特徴とする請求項３に記載のレンズユニット。
【請求項５】
請求項３または４に記載のレンズユニットを備えていることを特徴とするカメラモジュール。
【発明の詳細な説明】
【技術分野】
【０００１】
本発明は、レンズ、レンズユニットおよびこのレンズユニットを備えるカメラモジュールに関する。
【背景技術】
【０００２】
近年、自動車に車載カメラを搭載し、駐車をサポートしたり、画像認識により衝突防止を図ったりすることが行われており、さらに自動運転への応用が試みられている。
このような車載カメラ等のカメラモジュールは、一般的に、複数のレンズが光軸に沿って並べられた複数のレンズからなるレンズ群と、このレンズ群が収納される鏡筒と、レンズ群の少なくとも一個所のレンズ間に配置される絞り部材とを有するレンズユニットを備えている。
【０００３】
従来のレンズユニットの一例として、特許文献１に記載のものが知られている。このレンズユニットにおいては、４枚のレンズが、鏡筒に光軸方向をそれぞれ揃えて一列に並べられた状態に保持されている。また、レンズとレンズとの間に、通過する光の範囲を制限する平板環状の絞り部材が設けられている。
【０００４】
上述した従来のレンズユニットにおいて、鏡筒の物体側の開口部に設けられた第１レンズの有効径より外側の部位からの光の侵入を防止するために、第１レンズの有効径より外側の下面に炭を塗布することで、当該下面に絞り部を形成することがある。
例えば図６および図７において符号１００は鏡筒１の物体側の開口部に設けられる第１レンズを示す。この第１レンズ１００は、物体側に凸の球面形状のレンズ面を有し、像側に凹の球面形状となっているレンズ面１００ａを有している。レンズ面１００ａの周辺には、光軸Ｏに対して直交するとともに、レンズ面１００ａに連なる平坦面（下面）１０１を備えている。平坦面１０１からレンズ面１００ａへ連続する曲面との平坦面１０１上の境界部分を開口縁１００ｂと定義する。
また、レンズ面１００ａの有効径１０２における接線１０３と、光軸Ｏとのなす角度は約４５°となっている。
【０００５】
このような第１レンズ１００に対しては、レンズユニット設計上想定しない光線がレンズユニットの像側に配置されたセンサに入射することによるゴーストの発生を抑制するために、その有効径１０２の外側にある平坦面１０１に炭１０５を人手により塗布して遮光部を形成することが行われている。設計上は炭の塗布はレンズ面１００ａの開口縁１００ｂを越えて有効径１０２（の外側）まで塗布することが不要光を遮光するという意味では最も望ましい。しかし、実際の塗布工程では有効径１０２にぴったりと合わせて炭を塗布することは困難であるため、開口縁１００ｂまで炭塗りを行い、開口縁１００ｂからレンズ面１０１aの方へ液だれしたとしても有効径１０２との間の所定範囲内で収まるようにレンズ形状を定めている。すなわち、レンズ面１００ａの開口縁１００ｂと有効径１０２との間の径方向における距離Ｓは３００〜２００μｍ程度としているため、平坦面１０１には確実に炭塗り可能であり、液だれしたとしても有効径１０２の範囲内に入り込まないようにコントロールされている。
【先行技術文献】
【特許文献】
【０００６】
【特許文献１】特開２０１３−２３１９９３
【発明の概要】
【発明が解決しようとする課題】
【０００７】
ところで、近年、レンズの画角θを広げるために、上述した第１レンズ１００の像側レンズ面１００ａを平坦面１０１から深く設ける傾向がある。深く設けたレンズ面１００ａを二点鎖線で示す。なお、ここではレンズ面の曲率は実線の場合と同一としている。
この場合、レンズ面１００ａの有効径１０２における接線１０３と光軸Ｏとのなす角度である接線角が、従来より小さくなる。そうすると、レンズ面１００ａの開口縁１００ｂと有効径１０２との間の径方向における距離Ｓが従来に比して短くなり、例えば８０μｍ以下となるため、炭塗りの末端のコントロールが困難となる。レンズ面１００ａの開口縁１００ｂと有効径１０２との間の所定範囲内でレンズ面１００ａの外周縁部に炭を塗布することが困難となり、液だれにより有効径１０２の内側にまではみ出て最外周光線を遮ってしまう。この結果、炭の塗布による遮光部を設計とおりに形成することができなくなる。この傾向は上記接線角が小さくなればなるほど顕著となり、発明者の経験上特に接線角が２１．６°以下となると顕著である。
【０００８】
本発明は、前記事情に鑑みてなされたものであり、レンズ面の有効径における接線と光軸とのなす角度が所定値以下となる場合やレンズ面１００ａの開口縁１００ｂと有効径１０２との間の径方向における距離Ｓが小さいレンズである場合に、光軸に対して直交するとともに、レンズ面の開口縁を含む平坦面に設計とおりに絞り部を形成することができるレンズ、レンズユニットおよびカメラモジュールを提供することを目的とする。
【課題を解決するための手段】
【０００９】
前記課題を解決するために、本発明のレンズは、凹状の球面または非球面となっているレンズ面と、光軸に対して直交するとともに、前記レンズ面の開口縁を含む平坦面とを備えたレンズであって、
前記レンズ面の接線と前記光軸とのなす角度の最小接線角度が２１．６°以下となっており、
前記平坦面に平板環状の絞り部材が配置され、
この絞り部材の内周縁が、前記レンズ面の前記開口縁上あるいは当該開口縁より径方向内側に位置していることを特徴とする。
【００１０】
本発明においては、レンズ面の開口縁を含む平坦面に配置された平板環状の絞り部材の内周縁が、レンズ面の開口縁上あるいは当該開口縁より径方向内側に位置しているので、この絞り部材によって設計とおりに絞り部を形成することができる。
また、設計とおりに絞り部を形成できるので、画角を従来に比して広げることができる。
また、前記最小接線角度が２０．０°以下となっているのが好ましい。
【００１１】
本発明の前記構成において、前記有効径と前記開口縁との間の径方向における距離が８０μｍ以下であることが好ましい。
【００１２】
このような構成によれば、絞り部材の内周縁が、有効径より径方向外側でかつレンズ面の開口縁より径方向内側の８０μｍ以下の所定範囲内に位置しているので、この所定範囲内で絞り部材の位置精度を管理できる。
【００１３】
本発明のレンズユニットは、複数のレンズが当該レンズの光軸に沿って並べられたレンズ群と、このレンズ群が収納される鏡筒とを備えるレンズユニットであって、
前記鏡筒の物体側の開口部に請求項１または２に記載のレンズが第１レンズとして設けられ、
前記絞り部材は、前記第１レンズと、この第１レンズに光軸方向において隣り合う第２レンズとによって挟持されていることを特徴とする。
【００１４】
本発明においては、絞り部材によって設計とおりに絞り部を形成することができるとともに、絞り部材が第１レンズと第２レンズとで挟持されているので、絞り部材を確実に固定できる。
【００１５】
本発明の前記構成において、前記絞り部材の外周縁が前記鏡筒の内周面に当接されていてもよい。
【００１６】
このような構成によれば、絞り部材の外周縁が鏡筒の内周面に当接されているので、レンズ面より外側からの第１レンズを通ってくる光を絞り部材によって遮蔽できる。したがって、この光に起因するゴーストを抑えることができる。
【００１７】
本発明のカメラモジュールは、前記レンズユニットを備えていることを特徴とする。
このような構成によれば、上述のレンズユニットの作用効果をカメラモジュールで得ることができる。
【発明の効果】
【００１８】
本発明によれば、レンズ面の接線と光軸とのなす角度の最小接線角度が２１．６°以下となっている場合に設計とおりに絞り部を形成することができる
【図面の簡単な説明】
【００１９】
【図１】本発明の実施の形態に係るレンズユニットを示す概略断面図である。
【図２】本発明の実施の形態に係るレンズユニットのレンズを示す分解概略断面図である。
【図３】本発明の実施の形態に係るレンズユニットの要部を示す概略断面図である。
【図４】図３における要部の拡大図である
【図５】本発明の実施の形態に係るカメラモジュールを示す概略断面図である。
【図６】従来のレンズユニットの要部を示す概略断面図である。
【図７】図６における要部の拡大図である。
【発明を実施するための形態】
【００２０】
以下、図面を参照しながら本発明の実施の形態について説明する。
本実施の形態のレンズユニットは、車載カメラ等のカメラモジュール用のものであり、例えば、自動車の外表面側に固定して設置され、配線は自動車内に引き込まれてディスプレイやその他の装置に接続される。
【００２１】
図１および図２に示すように、この実施の形態のレンズユニット２０は、段付きの円筒状の鏡筒１と、鏡筒１内に配置される複数（７枚）のレンズ２〜８からなるレンズ群９と、鏡筒１のレンズ２〜８が像を結ぶ（結像）側（撮像センサが配置される側）の一方の端部に配置される光学フィルタ１０と、レンズ群９中に配置される絞り部材１２，１３とを備えている。
【００２２】
鏡筒１に固定されて支持されている複数のレンズ２〜８は、それぞれの光軸を一致させた状態に配置されており、１つの光軸に沿って各レンズ２〜８が並べられた状態となって、撮像に用いられる１群のレンズ群９を構成している。したがって、以下に単に光軸と記載した場合には、各レンズ２〜８の光軸を示すとともにレンズ群９の光軸を示している。
【００２３】
鏡筒１は、両端開口の段付きの筒状部材であり、物体側（外側、入射側）の端部（一端部）に開口部２１を有し、かつ、像側（内側、出射側）の端部（他端部）に開口部２２を有している。また、鏡筒２の像側の端部には、開口部２２を狭めるように形成された縮径部２３ａを有しており、縮径部２３ａの内周面は、絞り機能を果たす形状に形成されている。なお、開口部２２は、開口部２１よりも狭められている。
また、鏡筒１は、円筒状の鏡筒本体部１Ａと、この鏡筒本体部１Ａと同軸かつ鏡筒本体部１Ａより小径の小径筒部１Ｂとを備え、鏡筒本体部１Ａと小径筒部１Ｂとの間にはこれらを繋ぐ環状部１Ｃが設けられている。また、鏡筒本体部１Ａ、小径筒部１Ｂおよび環状部１Ｃは一体的に形成されている。
【００２４】
鏡筒本体部１Ａは、レンズ群９を構成する複数のレンズのうち、レンズ２〜５が収納されるもので、当該鏡筒本体部１Ａの開口部２１側には、光軸方向と直交する環状の受け面２３が光軸方向に離間し、かつ同軸に形成されている。
レンズ２〜５のうち、レンズ３は鏡筒本体部１Ａ内に挿入されたうえで、当該レンズ３のフランジ部３ｂの下面がレンズ４に当接されるとともにフランジ部３ｂの外周面が鏡筒本体部１Ａの内周面に当接されている。これによって、レンズ３はその光軸方向および径方向の位置決めがなされている。
【００２５】
図３および図４に示すように、第１レンズ２は、物体側に最も近い位置の物体側レンズであり、その下面が第２レンズ３のフランジ部３ｂの上面に物体側絞り部材（絞り部材）１２を介して当接され、フランジ部２ｂの上側の外周面が鏡筒本体部１Ａの物体側の開口部の内周面に当接されている。これによって、レンズ３はその光軸方向および径方向の位置決めがなされている。
第１レンズ２は、像側に凹状の球面となっているレンズ面２００ａと、光軸Ｏに対して直交するとともに、レンズ面２００ａの開口縁２００ｂを含む平坦面（下面）２０１とを備えている。
また、レンズ面２００ａの有効径２０２における接線２０３と、光軸Ｏとのなす角度（接線角）が最小となる最小接線角αは２１．６°以下となっているが、さらに最小接線角αは２０．０°以下となるのが好ましい。しかし、最小接線角αが１４．１°未満となるようにレンズ面２００ａを加工するのは非常に困難であるため、実際には最小接線角αは１４．１°以上となる。言い換えると、限界最小接線角は１４．１°となり、これより小さい最小接線角となるようにレンズ面２００ａを加工することは非常に困難であり、加工品質が悪化しレンズ性能の悪化をもたらす。
【００２６】
そして、限界最小接線角が１４．１°のときの限界半球率は９７％となる。
ここで、半球率について説明する。例えば、図３において、レンズ面２００ａの半径をＲ、レンズ面２００ａの有効径２０２での接線２０３の接点と光軸Ｏとの間の距離（光軸Ｏと直交する方向（図３において左右方向）における距離）をＸとすると、半球率Ｈは、Ｈ＝Ｘ／Ｒで示される。
そして、この半球率Ｈが９７％の場合に最小接線角が１４．１°となる。つまり、限界半球率が９７％のときに限界最小接線角が１４．１°となる。
また、接線角αが２１．６°のときに半球率Ｈは９３．０％となり、最小接線角αが２０．０°のときに半球率Ｈは９４．０％となる。
したがって、本実施の形態では、半球率Ｈが９３．９６％で、９３％以上となっており、さらに半球率Ｈが９４％以上となるのが好ましい。
なお、本実施の形態では、レンズ面２００ａは凹状の球面となっているが、当該レンズ面は凹状の非球面であってもよい。
【００２７】
そして、平坦面２０１に平板円環状の入力側絞り部材（絞り部材）１２が配置されている。この絞り部材１２は、通過する光の範囲を制限するものであり、当該絞り部材１２の内周縁１２ａは、レンズ面２００ａ有効径２０２より径方向外側でかつレンズ面２００ａの開口縁２００ｂより径方向内側に位置している。レンズ面２００ａの有効径２０２と開口縁２００ｂとの間の径方向における距離Ｓは８０μｍ以下に設定されている。絞り部材１２の内周縁１２ａは、Ｓの範囲内に設定されている。好ましくは、絞り部材１２の内周縁１２ａは、レンズ面２００ａの開口縁２００ｂより１０μｍ以上８０μｍ以下径方向内側であるのが好ましい。
また、絞り部材１２は、鏡筒本体部１Ａの内周面まで延出されて、当該内周面に当接され、さらに絞り部材１２の外周縁部の下面は受け面２３に当接されている。また、絞り部材１２は第１レンズ２と、この第１レンズ２に光軸方向において隣り合う第２レンズ３とによって挟持されている。
また、レンズ２のフランジ部２ｂの下側の外周面と鏡筒本体部１Ａの物体側の開口部２１の内周面との間にはリング状のシール部材３０が介挿されている。
【００２８】
図１に示すように、レンズ４はその有効径より外側の上面が、レンズ３の下面に当接されているが、フランジ部４ｂと鏡筒本体部１Ａの内周面との間には所定の隙間が設けられている。また、フランジ部４ｂの外周面は、鏡筒１の物体側の開口部側ほど光軸に近づくように当該光軸に対して約１０°程度傾斜している。
また、レンズ５はその有効径より外側の上面が、レンズ４の有効径より外側の下面に絞り部材１３を介して当接されているが、フランジ部５ｂと鏡筒本体部１Ａの内周面との間には所定の隙間が設けられている。また、フランジ部５ｂの外周面は、鏡筒１の物体側の開口部側ほど光軸に近づくように当該光軸に対して約１０°程度傾斜している。
レンズ４のフランジ部４ｂとレンズ５のフランジ部５ｂの外周面にはシボが設けられており、この外周面に向かう光線を散乱させ、外周面での反射光がゴーストとなることを抑制している。また、このシボ面を外周面だけではなく、隣り合うレンズ４，５のフランジ部４ｂ，５ｂと接触する部分を除いたフランジ部４ｂ，５ｂまで延在させることにより、さらにゴーストの発生を効果的に抑制することができる。なお、フランジ部４ｂ，５ｂの外周面が傾斜しているのは、金型でシボ面を形成するに当たり抜き勾配を考慮する必要があるからである。フランジ部４ｂ，５ｂの外周面は少なくとも光軸に対して５度以上傾斜しているのが好ましい。
【００２９】
そして、光軸方向において隣り合うレンズ４，５はそれらの外周縁部のフランジ部４ｂ，５ｂどうしの嵌合によって一体化されて、一体化レンズ３１となっている。すなわち、フランジ部４ｂの下面側には、断面略Ｌ形の凹部４ｃが環状に設けられており、フランジ部５ｂの上面側には断面凸形の凸部５ｃが環状に設けられている。凹部４ｃの内側面と凸部５ｃの内側面は円錐面の一部であり、レンズ４，５を重ねる際に当該２つの円錐面により光軸直交方向の位置決めが互いになされるようになっている。そして、凹部４ｃの内側面と凸部５ｃの内側面とが密接する部分が嵌合部２５となっており、この嵌合部２５によって、フランジ部４ｂ，５ｂが嵌合されている。
【００３０】
また、凸部５ｃの上面には溝部５ｄがリング状に形成されている。この溝部５ｄは、接着剤溜まりとして機能するものであり、深さが１５０μｍ程度に設定されている。また、溝部５ｄはフランジ部５ｂの上面の２つの凸部により形成されており、内側の凸部は嵌合部２５の一部となっている。２つの凸部の高さは等しいか、外側の凸部が低く形成されている。２つの凸部と対向するフランジ部４ｂの間隔は約１００μｍ程度に設定されている。レンズ４、５、６は感度の高いレンズであるため、レンズ組立時にはレンズ４、５、６を一体として接着剤で一部品としている。溝部５ｄは、レンズ４，５を接着剤によって接着する際に、接着剤をポッティングする場所としての機能を有する。レンズ４，５を嵌合する際に接着剤が溝部５ｄからあふれる場合、内側への接着剤への流入は嵌合部２５により防止され、余分な接着剤はフランジ部外側に流出するので、光軸方向のレンズ間位置精度に影響を及ぼすことはない。凹溝５ｄに遮光性のある接着剤を充填してレンズ４，５どうしを接着することにより、遮光作用によりゴーストを抑えることもできる。ポッティングした接着剤の保持するためには溝部５ｄの深さは１００μｍ程度で十分であるが、接着剤自体による遮光作用を得るためには少なくとも１３０μｍ以上必要であり、組み立てコスト及び時間の要請から２５０μｍ以下である必要がある。なお、接着剤の遮光性能及び粘度により深さは適宜調整されるべきであるが、おおむね上記数値範囲であれば必要な効果を得ることができる。
【００３１】
また、フランジ部４ｂ，５ｂどうしの嵌合部２５より内側に前記絞り部材１３が設けられている。すなわち、絞り部材１３は金属製で平板環状に形成されており、上述したように、レンズ４の有効径より外側かつ嵌合部２５より内側のフランジ部下面とレンズ５の有効径より外側かつ嵌合部２５より内側のフランジ部上面とによって挟持されている。また、絞り部材１３の内周縁はレンズ５の有効径より若干内側に位置しており、外周縁は嵌合部２５の内周縁まで延出され、凸部５ｃの内周面に当接されることにより、光軸直交方向の位置決めがなされている。また、隣り合うレンズ４，５の光軸方向の位置決めは、第１の絞り部材１３を挟んで嵌合部２５の内側のフランジ部４ｂの下面とフランジ部５ｂの上面の当接によりなされている。
【００３２】
鏡筒１には、絞り部材１３の外周縁より外側の部位と光軸方向において対向する環状の光遮蔽面３２が一体化レンズ３１により挟持された第１の絞り部材１３より像側に設けられている。
すなわち、光遮蔽面３２は、鏡筒本体部１Ａと小径筒部１Ｂとを連結する環状部１Ｃの上面に形成されており、当該光遮蔽面３２は光軸と直交する平面となっている。また、光遮蔽面３２の内周縁は第１の絞り部材１３の外周縁より径方向内側に位置している。
さらに、光遮蔽面３２と、一体化レンズ３１のうち光遮蔽面３２側に位置するレンズ５のフランジ部５ｂの光遮蔽面３２と対向する対向面５ｄとの間の距離が０．５ｍｍ以下に設定されている。また、絞り部材１３と光遮蔽面３２との間の距離Ｓが鏡筒１の光軸方向における長さＨの１５％以下に設定されている。いずれも当該領域での乱反射によるゴースト発生を抑制するためである。なお、本実施の形態において鏡筒１の高さＨは１６．０ｍｍとなっている。
また、光遮蔽面３２には、放射に延びる所定幅の溝３２ａが周方向に等間隔で４つ形成されている。成型時に、当該溝３２ａはエジェクトピンが突き当てられ、鏡筒１が金型から離形されるようになっている。
物体側光軸方向から見て、絞り部材１３は、その外周縁部と光遮蔽面３２の内周縁部とが重なるように、配置されている。言い換えれば、光遮蔽面３２が第１の絞り部材１３の外周部の遮蔽部分と重なるような位置関係となっている。このような配置とすることにより、絞り部材１３より物体側の前半レンズ群（レンズ２，３，４）を透過してきた光線は光遮蔽面３２によりブロックされ、後半レンズ群（レンズ５，６，７，８）のフランジ部へ向かう光線は絞り部材１３によりブロックされるため、絞り部材１３と光遮蔽面３２の機能分担によりゴーストの発生を効果的に抑制することができる。
また、鏡筒１の入射側の開口部２１に設けられた第２の絞り部材１２の内周縁と、絞り１３の外周縁とを結ぶ線分Ｌの延長線が光遮蔽面３２と交差するように、第１および第２の絞り部材１３，１２、レンズ２〜５、鏡筒本体部１Ａ、環状部１Ｃおよび光遮蔽面３２のそれぞれ形状や寸法が設定されている。このような構成をとることにより、レンズ２から直接入射した光を光遮蔽面３２により物体側に反射させることができゴーストを抑制することができる。線分Ｌの延長線が鏡筒本体部１Ａの内側面で交差する場合、鏡筒本体部１Ａの内側面で反射した光線が像側方向に向かいゴーストの原因となる確率が高くなる。また、レンズユニットへの入射角をかえて想定外の部分での反射により発生する散乱光をシュミレーションした結果、線分Ｌの延長線が光遮蔽面３２と交差するような位置関係にした場合、最もセンサへ向かう光線を少なくすることができることが分かった。
なお、絞り部材１３の替わりに第１レンズ２の像側面のフランジ部が墨塗りされている場合には、墨塗りの内周部分が線分Lの基準点となる。
【００３３】
また、光遮蔽面３２の内周縁には、出射側の開口部２２側ほど縮径するような円錐状の傾斜面３３が形成されており、この傾斜面３３の下端縁が小径筒部１Ｂの内周面に繋がっている。この傾斜面３３は、組立時に一体化レンズ３４のレンズ６を小径筒部１Ｂに挿入する際のガイドとしての機能を有する。
小径筒部１Ｂには、レンズ６〜８が収納されている。レンズ６のフランジ部６ｂが前記レンズ５に嵌合されることにより、一体化レンズ３４全体の光軸直交方向の位置決めがなされている。
すなわち、レンズ５のフランジ部５ｂ下面側には、断面Ｌ形の凹部５ｅが環状に設けられており、レンズ６のフランジ部６ｂの上面側には断面凸形の凸部６ｃが環状に設けられている。凹部５ｅの内側面と凸部６ｃの内側面は円錐面の一部であり、レンズ５，６を重ねる際に当該２つの円錐面により光軸直交方向の位置決めが互いになされるようになっている。そして、凹部５ｅの内側面と凸部６ｃの内側面とが密接する部分が嵌合部２６となっており、この嵌合部２６によって、フランジ部５ｂ，５ｂが嵌合されている。
これによって、レンズ５，６は一体化されている。上述したように、レンズ４，５は一体化されているので、レンズ４〜６が一体化されて一体化レンズ３４となっている。
なお、レンズ４〜６はフランジ部の嵌合によって一体化されるとともに、嵌合面どうしは接着剤によって接着されている。
【００３４】
また、小径筒部１Ｂには、前記縮径部２２ａの上面に受け面３５が設けられており、この受け面３５にレンズ８のフランジ部８ｂの下面が当接されて、光軸方向の位置決めの基準面となっている。
また、レンズ８の上面側にはレンズ８の有効径より外側に受け面８ｄがリング状に設けられており、この受け面８ｄにレンズ７のフランジ部７ｂの下面が当接されている。また、レンズ６の下面側にはレンズ６の有効径より外側に凸部６ｄがリング状に設けられ、この凸部６ｄがレンズ７のフランジ部７ｂの上面に当接されている。つまり、レンズ７はレンズ６，８によって挟持されている。
したがって、一体化されたレンズ４〜６（一体化レンズ３４）は、その上側（開口部２１側）のレンズ４がレンズ３に当接しており、下側（開口部２２側）のレンズ６がレンズ７を介してレンズ８に当接しており、さらに、レンズ３が受け面２４に当接され、レンズ８が受け面３５に当接されているので、光軸方向の位置決めがなされている。
また、小径筒部１Ｂの外周面には雄ねじ３６が設けられている。
【００３５】
図５は、本実施の形態のカメラモジュール３００の概略断面図である。図５に示すように、カメラモジュール３００は、フィルタ１０が装着されたレンズユニット２０を含んで構成されている。すなわち、カメラモジュール３００は、外装部品である上ケース（カメラケース）３０１と、レンズユニット２０を保持するマウント（フランジ、台座）３０２とを備えている。また、カメラモジュール３００は、シール部材３０３およびパッケージセンサ（撮像素子）３０４を備えている。
【００３６】
上ケース３０１は、レンズユニット２０の開口部２１側の端部を露出させるとともに他の部分を覆う部材である。マウント３０２は、上ケース３０１の内部に配置されており、レンズユニット２０の雄ねじ３６と螺合する雌ねじ３０２ａを有する。シール部材３０３は、上ケース３０１の内面とレンズユニット２０の鏡筒１の外周面との間に介挿された部材であり、上ケース３０１の内部の気密性を保持するための部材である。
【００３７】
パッケージセンサ３０４は、上ケース３０１の内部に配置されており、かつ、レンズユニット２０により形成された物体の像を受光する位置に配置されている。また、パッケージセンサ３０４は、ＣＣＤやＣＭＯＳ等を備えており、レンズユニット２０を通じて集光して到達した光を電気信号に変換する。変換された電気信号はカメラにより撮影された画像データの構成要素であるアナログデータやデジタルデータに変換される。
【００３８】
以上のように本実施の形態によれば、レンズ面２００ａの開口縁２００ｂを含む平坦面２０１に配置された平板円環状の絞り部材１２の内周縁が、レンズ面２００ａの有効径２０２より径方向外側でかつレンズ面２００ａの開口縁２００ｂより径方向内側の所定範囲内に位置しているので、この絞り部材１２によって設計とおりに絞り部を形成することができる。
また、設計とおりに絞り部を形成できるので、画角θを従来に比して広げることができる。
さらに、絞り部材１２の内周縁１２ａが、有効径２０２より径方向外側でかつレンズ面２００ａの開口縁２００ｂより径方向内側の８０μｍ以下の所定範囲内に位置しているので、この所定範囲内で絞り部材の位置精度を管理できる。
【００３９】
また、鏡筒１に、絞り部材１３の外周縁より外側の部位と光軸方向において対向する環状の光遮蔽面３２が一体化レンズ３１より鏡筒１の射出側の開口部２２側に設けられているので、鏡筒１の物体側の開口部２１から入った光の一部が、絞り部材１３の外周縁の外側の部位（例えば絞り部材１３の外周縁と鏡筒１の内周面との間にある嵌合部２５やこの嵌合部２５と鏡筒１の内周面との間の隙間）を通っても、この光は光遮蔽面３２によって遮蔽される。したがって、当該光が鏡筒１の像側の開口部２２に達するのを抑制できるので、ゴーストを適切に抑えることができる。
【００４０】
また、鏡筒本体部１Ａと小径筒部１Ｂとを繋ぐ環状部１Ｃに光遮蔽面３２が形成されているので、当該光遮蔽面３２を絞り部材１３の外周縁より外側の部位に対向させて容易に設けることができる。また、鏡筒１が鏡筒本体部１Ａと小径筒部１Ｂとを備えているので、鏡筒１を光軸方向において同径した場合に比して、鏡筒１の小型化を図ることができる。
【００４１】
また、物体側絞り部材１２の内周縁と、嵌合部２５の内周縁とを結ぶ線分Ｌの延長線が光遮蔽面３２と交差しているので、物体側絞り部材１２の内周縁から入射して、線分Ｌに沿って進む光は光遮蔽面３２で遮蔽される。したがって、当該光に起因するゴーストを抑えることができる。
さらに、絞り部材１３と光遮蔽面３２との間の距離Ｓが鏡筒１の光軸方向における長さＨの１５％以下に設定されているので、絞り部材１３を光遮蔽面３２に近づけることができる。したがって、絞り部材１３の外周縁で回折した光の大部分は光遮蔽面３２によって遮蔽されるので、当該光に起因するゴーストを抑えることができる。
加えて、光遮蔽面３２の内周縁が絞り部材１３の外周縁より径方向内側に位置しているので、絞り部材１３の外周縁より外側を通る光を確実に光遮蔽面３２によって遮蔽することができるので、ゴーストをより確実に抑えることができる。
【００４２】
また、鏡筒１の物体側の開口部２１から入ってきた光の一部は、鏡筒１内において、屈折したり反射したりして、光遮蔽面３２と対向面５ｄとの間の隙間を通るが光遮蔽面３２と、対向面５ｄとの間の距離が０．５ｍｍ以下に設定されているので、当該隙間を通り難くなる。したがって、この隙間を通った光に起因するゴーストを抑えることができる。
また、レンズ４のフランジ部４ｂおよびレンズ５のフランジ部５ｂが鏡筒１の物体側の開口部側ほど光軸に近づくように当該光軸に対して傾斜しているので、鏡筒１内で反射したり屈折したりしてフランジ部４ｂ，５ｂに当たった光の一部は鏡筒１の物体側の開口部２１側に向けて反射する。したがって、この当該光の一部に起因するゴーストを抑えることができる。
また、カメラモジュール３００は、レンズユニット２０を備えているので、上述のレンズユニット２０の作用効果をカメラモジュール３００で得ることができる。
【００４３】
なお、レンズユニット２０のレンズ群９のレンズの枚数は７枚に限定されるものではなく、それ以下であってもそれ以上であってもよい。
また、鏡筒１を段付きの円筒状として、環状部１Ｃに光遮蔽面３２を設けたが、ストレートの円筒状の鏡筒の場合、例えば、鏡筒の内周面に平板環状の部材を設け、当該部材に光遮蔽面を設けてもよい。
さらに、光遮蔽面は光軸に対して直交しているのが望ましいが、多少傾斜していてもよい。
また、光遮蔽面は平面に限らず、曲面等であってもよい。
【符号の説明】
【００４４】
１  レンズユニット
２〜８  レンズ
９  レンズ群
１２  物体側絞り部材（絞り部材）
１２ａ  絞り部材の内周縁
１３  絞り部材
２０  レンズユニット
２００ａ  レンズ面
２００ｂ  開口縁
２０１  平坦面
２０２  有効径
２０３  接線
３００  カメラモジュール
Ｓ  有効径と開口縁との間の径方向における距離
Ｏ  光軸
【図１】
2018091907.tif 000003
【図２】
2018091907.tif 000004
【図３】
2018091907.tif 000005
【図４】
2018091907.tif 000006
【図５】
2018091907.tif 000007
【図６】
2018091907.tif 000008
【図７】
2018091907.tif 000009